(57)【特許請求の範囲】
【請求項１】
エレベータを制御するエレベータ制御装置と、エレベータの状態を監視し故障時に発報するエレベータ監視装置と、該エレベータ監視装置の故障発報機能を監視側で有効、保守側で無効に設定する切替スイッチと、エレベータの状態を集中して遠隔監視する監視センターと、前記切替スイッチが保守側に操作されると計時を開始するタイマーとを設け、公衆回線により該エレベータ監視装置と該監視センターとの間で信号が送信されるエレベータの遠隔監視システムにおいて、
該監視センターには、該エレベータ監視装置の故障発報機能を無効から有効に変更する指令を送信する故障発報機能指令部を備え、前記タイマーが所定時間以上を計時したことを条件に、該監視センターからの変更指令が可能となることを特徴とするエレベータの遠隔監視システム。
【請求項２】
前記切替スイッチが保守側から監視側に操作されると、前記変更指令を解除するとともに、故障発報機能を有効とする初期状態に戻すことを特徴とする請求項１に記載のエレベータの遠隔監視システム。
【発明の詳細な説明】
【０００１】
【発明の属する技術分野】
本発明はエレベータの遠隔監視システムに関するものである。
【０００２】
【従来の技術】
図３は、従来のエレベ−タの遠隔監視システムを示す構成図である。
【０００３】
図３において、１はエレベ−タを制御するエレベ−タ制御装置、２はエレベ−タの状態を監視し故障時に発報するエレベ−タ監視装置、３はエレベ−タ監視装置２に設けられエレベ−タの状態を監視するエレベ−タ監視部、４はエレベ−タ監視装置２に設けられエレベ−タの故障時に発報する故障発報部、５はエレベ−タ監視装置２の故障発報機能を監視側で有効、そして、保守側で無効に設定する切替スイッチ、６はエレベ−タの状態を集中して遠隔監視する監視センター、７は監視センター６に設けられエレベ−タの状態を遠隔監視する遠隔監視部、８はエレベ−タ監視装置２と監視センター６の間を結ぶ公衆回線を示す。
【０００４】
つぎに、上記構成の従来のエレベ−タの遠隔監視システムの動作について説明する。
【０００５】
切替スイッチ５が監視側の時はエレベ−タ監視装置２の故障発報機能は有効に設定される。この場合、エレベ−タ監視部３はエレベ−タ制御装置１からの信号にもとづきエレベ−タの状態を監視し、エレベ−タに故障が発生すると故障発報部４から公衆回線８を介して監視センター６の遠隔監視部７へ故障状態を発報する。
【０００６】
切替スイッチ５が保守側の時はエレベ−タ監視装置２の故障発報機能は無効に設定される。この場合、エレベ−タ監視部３はエレベ−タ制御装置１からの信号にもとづきエレベ−タの状態を監視し、エレベ−タに故障が発生しても故障発報部４から故障状態を発報しない。
【０００７】
【発明が解決しようとする課題】
エレベ−タの保守作業者は、保守作業開始時に切替スイッチを監視側から保守側に操作しエレベ−タ監視装置の故障発報機能を無効に設定する。
【０００８】
これは、保守作業中に故障と同じ現象を意図的に発生させたときに、エレベ−タ監視装置から故障状態を発報させないためである。
【０００９】
そして、エレベ−タの保守作業者は、保守作業終了時に切替スイッチを保守側から監視側に操作しエレベ−タ監視装置の故障発報機能を有効に設定する。
【００１０】
ところが、エレベ−タの保守作業者が、保守作業終了時に切替スイッチを保守側にしたまま帰った場合、エレベ−タ監視装置の故障発報機能は無効に設定されたままとなり、エレベ−タに故障が発生してもエレベ−タ監視装置から故障状態を発報できない。
【００１１】
本発明は、このような問題点を解決するためになされたもので、エレベ−タの保守作業者が、保守作業終了時に切替スイッチを保守側にしたまま帰った場合においても、不都合を生じないエレベ−タの遠隔監視システムを得ることを目的とする。
【００１２】
【課題を解決するための手段】
本発明は、エレベータを制御するエレベータ制御装置と、エレベータの状態を監視し故障時に発報するエレベータ監視装置と、該エレベータ監視装置の故障発報機能を監視側で有効、保守側で無効に設定する切替スイッチと、エレベータの状態を集中して遠隔監視する監視センターと、切替スイッチが保守側に操作されると計時を開始するタイマーとを設け、公衆回線により該エレベータ監視装置と該監視センターとの間で信号が送信されるエレベータの遠隔監視システムにおいて、該監視センターには、該エレベータ監視装置の故障発報機能を無効から有効に変更する指令を送信する故障発報機能指令部を備え、前記タイマーが所定時間以上を計時したことを条件に、該監視センターからの変更指令が可能となるものである。
【００１３】
さらに、本発明は、エレベ−タを制御するエレベ−タ制御装置と、エレベ−タの状態を監視し故障時に発報するエレベ−タ監視装置と、前記エレベ−タ監視装置の故障発報機能を監視側で有効、そして、保守側で無効に設定する切替スイッチと、エレベ−タの状態を集中して遠隔監視する監視センターと、前記エレベ−タ監視装置と前記監視センターの間を結ぶ公衆回線により構成されるエレベ−タの遠隔監視システムにおいて、前記エレベ−タ監視装置に前記切替スイッチの操作により前記エレベ−タ監視装置の故障発報機能が無効に設定されると計時を開始するタイマーを設け、前記タイマーが所定時間以上を計時すると、所定時間以上継続して前記切替スイッチの操作により前記エレベ−タ監視装置の故障発報機能が無効に設定されていることを、前記エレベ−タ監視装置から前記公衆回線を介して前記監視センターに送信するものである。
【００１４】
また、前記監視センターに前記エレベ−タ監視装置の故障発報機能の変更を指令する故障発報機能指令部を設け、前記監視センターは、前記故障発報機能指令部により前記エレベ−タ監視装置の故障発報機能を無効から有効に変更する指令を、前記監視センターから前記公衆回線を介して前記エレベ−タ監視装置に送信することが可能であるものである。
【００１５】
また、以上において、前記切替スイッチの物理的状態と、前記エレベ−タ監視装置の故障発報機能の設定が一致していないときに、前記切替スイッチを操作し、前記切替スイッチの物理的状態と、前記エレベ−タ監視装置の故障発報機能の設定が一致したときに、前記切替スイッチの物理的状態に応じた前記エレベ−タ監視装置の故障発報機能の設定ができるものである。
【００１６】
【発明の実施の形態】
図１は、本発明の一実施形態であるエレベ−タの遠隔監視システムを示す構成図である。
【００１７】
図１において、上記従来例と同一符号及び記号は上記従来例の構成部分と同一または相当する構成部分を示し、同一または相当する動作をする。
【００１８】
図１において、１１はエレベ−タ監視装置２に設けられ切替スイッチ５の操作によりエレベ−タ監視装置２の故障発報機能が無効に設定されると計時を開始するタイマー、１２は監視センター６に設けられエレベ−タ監視装置２の故障発報機能の変更を指令する故障発報機能指令部を示す。
【００１９】
つぎに、上記構成の本発明の一実施形態であるエレベ−タの遠隔監視システムの動作について図２を用いて説明する。
【００２０】
図２は、本発明の一実施形態であるエレベ−タの遠隔監視システムの動作を示すフローチャートである。
【００２１】
ステップＳ１では、切替スイッチ５が監視側か、あるいは、保守側かの判断が行われる。監視側の時はステップＳ２へ進み、保守側の時はステップＳ３へ進む。
【００２２】
ステップＳ２では、エレベ−タ監視装置２の故障発報機能は有効に設定される。この場合、エレベ−タ監視部３はエレベ−タ制御装置１からの信号にもとづきエレベ−タの状態を監視し、エレベ−タに故障が発生すると故障発報部４から公衆回線８を介して監視センター６の遠隔監視部７へ故障状態を発報する。つぎに、ステップＳ２からステップＳ１へ進む。
【００２３】
ステップＳ３では、エレベ−タ監視装置２の故障発報機能は無効に設定される。この場合、エレベ−タ監視部３はエレベ−タ制御装置１からの信号にもとづきエレベ−タの状態を監視し、エレベ−タに故障が発生しても故障発報部４から故障状態を発報しない。つぎに、ステップＳ３からステップＳ４へ進む。
【００２４】
ステップＳ４では、タイマー１１の計時が開始され、ステップＳ５へ進む。
【００２５】
ステップＳ５では、タイマー１１の計時が所定時間経過したかの判断が行われる。所定時間経過していない時はステップＳ６へ進み、所定時間経過している時はステップＳ７へ進む。
【００２６】
ステップＳ６では、切替スイッチ５が監視側か、あるいは、保守側かの判断が行われる。監視側の時はステップＳ２へ進み、保守側の時はステップＳ５へ進む。
【００２７】
ステップＳ７では、所定時間以上継続して切替スイッチ５の操作によりエレベ−タ監視装置２の故障発報機能が無効に設定されていることを、エレベ−タ監視装置２から公衆回線８を介して監視センター６に送信する。つぎに、ステップ  Ｓ７からステップＳ８へ進む。
【００２８】
ステップＳ８では、監視センター６の指令によりエレベ−タ監視装置２の故障発報機能を変更するかの判断が行われる。故障発報機能を変更しない時はステップＳ９へ進み、故障発報機能を変更する時はステップＳ１０へ進む。
【００２９】
ステップＳ９では、切替スイッチ５が監視側か、あるいは、保守側かの判断が行われる。監視側の時はステップＳ２へ進み、保守側の時はステップＳ８へ進む。
【００３０】
ステップＳ１０では、監視センター６は、故障発報機能指令部１２によりエレベ−タ監視装置２の故障発報機能を無効から有効に変更する指令を、監視センター６から公衆回線８を介してエレベ−タ監視装置２に送信する。つぎに、ステップＳ１０からステップＳ１１に進む。
【００３１】
ステップＳ１１では、エレベ−タ監視装置２の故障発報機能は有効に設定される。この場合、切替スイッチ５は保守側ですが、エレベ−タ監視部３はエレベ−タ制御装置１からの信号にもとづきエレベ−タの状態を監視し、エレベ−タに故障が発生すると故障発報部４から公衆回線８を介して監視センター６の遠隔監視部７へ故障状態を発報する。つぎに、ステップＳ１１からステップＳ１２へ進む。
【００３２】
ステップＳ１２では、切替スイッチ５が監視側か、あるいは、保守側かの判断が行われる。監視側の時はステップＳ２へ進み、図２から分かるとおり初期状態に戻り、保守側の時はステップＳ１２へ進む。
【００３３】
また、上記の一実施形態においては、監視センタ−６の指令によりエレベ−タ監視装置２の故障発報機能を変更する場合を示したが、タイマ−１１の計時が所定時間経過した時点でエレベ−タ監視装置２の故障発報機能を変更することも可能である。
【００３４】
以上は、実施形態の一部を示したものであり、本発明は実施形態に限定されない。
【００３５】
【発明の効果】
以上のように本発明によれば、エレベ−タの保守作業者が、保守作業時に切替スイッチを保守側にしたまま帰った場合においても、そのまま放置されることがなく、再度現場に出向くことなく、エレベ−タ監視装置の故障発報機能を無効から有効に設定し、エレベ−タの状態を監視することができる。そして、次回の保守時には、エレベ−タの保守作業者が切替スイッチを一旦保守側から監視側、再び監視側から保守側に操作するだけで、エレベ−タ監視装置の故障発報機能を有効から無効に設定し、エレベ−タの保守作業を行うことができる。
【図面の簡単な説明】
【図１】本発明の一実施形態であるエレベ−タの遠隔監視システムを示す構成図。
【図２】本発明の一実施形態であるエレベ−タの遠隔監視システムの動作を示すフローチャート。
【図３】従来のエレベ−タの遠隔監視システムを示す構成図。
【符号の説明】
１    エレベ−タ制御装置
２    エレベ−タ監視装置
３    エレベ−タ監視部
４    故障発報部
５    切替スイッチ
６    監視センター
７    遠隔監視部
８    公衆回線
１１  タイマー
１２  故障発報機能指令部
【図１】
0003760654.tif 000002
【図２】
0003760654.tif 000003
【図３】
0003760654.tif 000004